(57)【特許請求の範囲】
【請求項１】
メッセージ管理サービス（２０４）からのメッセージをデジタル・マルチメディア網の加入者のレシーバ・デコーダ（２０２）へ分配する方法であって、
スクランブルをかけたデジタルサービスをＥＣＭ（Entitlement Control Message）と共に放送する前記デジタル・マルチメディア網と異なる携帯電話網であるポイント・ツー・ポイント通信システム（６０１，６００；７００）の、前記レシーバ・デコーダ用のポイント・ツー・ポイント通信アドレスを取り出し、
ＥＭＭ（Entitlement management Message）で構成されたレシーバ・デコーダ用のメッセージを前記メッセージ管理サービスから前記ポイント・ツー・ポイント通信システムへ転送し、
前記ポイント・ツー・ポイント通信システム内に前記メッセージをバッファリングし（７０３，７０７）、
前記レシーバ・デコーダで前記ポイント・ツー・ポイント通信システムから対象となるメッセージを検索して取り出す（７０９）、
ことを特徴とする方法。
【請求項２】
前記メッセージ管理サービスと対応する前記ポイント・ツー・ポイント通信システム内のエミッタ・ポイントに前記メッセージをバッファリングし（７０３）、
前記レシーバで使用可能信号を生成し（７０２）、
前記使用可能信号の受信で前記メッセージの送出を誘発し（７０６）、
前記レシーバへ前記メッセージを送出する、
ことを特徴とする請求項１に記載の方法。
【請求項３】
前記メッセージを前記レシーバで受信し、バッファリングする（７０７）、
ことを特徴とする請求項１に記載の方法。
【請求項４】
前記レシーバで受信確認を生成し、該受信確認を前記エミッタ・ポイントへ送出する（７１０）、
ことを特徴とする請求項２に記載の方法。
【請求項５】
前記受信確認は、前記レシーバ・デコーダの状態、前記レシーバ・デコーダと共に使用されるドーター・スマートカードの状態、及び前記レシーバ・デコーダの要素のバージョン番号で構成されるグループから選択された少なくとも一つの追加情報の項目を備える、
ことを特徴とする請求項４に記載の方法。
【請求項６】
前記受信確認から前記少なくとも一つの追加情報の項目を抽出し、前記レシーバ・デコーダの適法状態を確定するため前記少なくとも一つの追加情報の項目を評価する、
ことを特徴とする請求項５に記載の方法。
【請求項７】
前記メッセージ管理サービスが、ＳＡＳ(Subscriber Authorization System)で構成されていることを特徴とする請求項１に記載の方法。
【請求項８】
スクランブルをかけたデジタルサービスをＥＣＭ（Entitlement Control Message）と共に放送するデジタル・マルチメディア網内で、該デジタル・マルチメディア網と異なるネットワークである携帯電話網を通じて情報の受信を可能にしている加入者のレシーバ・デコーダでＥＭＭ（Entitlement management Message）を受信する方法であって、
前記レシーバ・デコーダの携帯電話モデムで、前記携帯電話網内にバッファリングされたＥＭＭのうちの対象となるＥＭＭを該携帯電話網から検索して受信し、
受信したＥＭＭを携帯電話モデムの記憶装置内に記憶する、
ことを特徴とする方法。
【請求項９】
前記ＥＭＭを前記記憶装置から前記レシーバ・デコーダ内へ取り出す（７０９）ことを特徴とする請求項８に記載の方法。
【請求項１０】
スクランブルをかけたデジタルサービスをＥＣＭ（Entitlement Control Message）と共に放送するデジタル・マルチメディア網用のレシーバ・デコーダであって、
前記レシーバ・デコーダに作用的に接続された携帯電話モデムと、
該携帯電話モデムに固有に属するポイント・ツー・ポイント通信アドレスと、
携帯電話網であるポイント・ツー・ポイント通信システム内にバッファリングされたＥＭＭ（Entitlement management Message）のうちの対象となるＥＭＭを該ポイント・ツー・ポイント通信システムから検索して受信する手段と、
受信したＥＭＭを記憶する携帯電話モデム内の記憶空間と、
を備えることを特徴とするレシーバ・デコーダ。
【請求項１１】
携帯電話モデムが携帯電話網からのＥＭＭを受信し、当該レシーバ・デコーダの状態に関係なくＥＭＭを記憶し得る、
ことを特徴とする請求項１０に記載のレシーバ・デコーダ。
【請求項１２】
受信確認を生成する手段と、受信確認を発する手段とを更に備えていることを特徴とする請求項１０に記載のレシーバ・デコーダ。
【発明の詳細な説明】
【技術分野】
【０００１】
本発明は、デジタル・マルチメディア網でのアクセス権管理に関する。
【背景技術】
【０００２】
図１は、デジタル・メディア網の一例を概略的に示している。ネットワーク１は、符号（ボックス）２及び３で示される１つ又は複数の放送局（ブロードキャストオペレータ）と、符号４から６で示される加入者（サービス利用者）との間の情報のやり取り（交換）に使用されている。ネットワーク１は、例えば、地上のテレビ放送網であり、かかるネットワークにおいて、放送局が信号を出力し、加入者はアンテナを使ってこれを受信する。また、ネットワーク１の他の例として、ケーブル網や衛星伝送網も挙げられる。
【０００３】
各々の放送局は、加入者に対して多くのデジタル・マルチメディア・サービスを放送する。マルチメディア・サービスには、例えば、テレビプログラム、ラジオプログラム及び双方向アプリケーション等が含まれる。
【０００４】
各々の加入者は、レシーバ・デコーダを所有している。該レシーバ・デコーダは、マルチメディア・サービスを受信するために、また、時には、適切に表現装置（レンダリング・デバイス）上でマルチメディア・サービスを表現できるよう受信したマルチメディア・サービスを処理するために使用される。テレビプログラムは、例えば、テレビ上で表現され得る。そして、双方向アプリケーションは、レシーバ・デコーダの処理システムによって実行され、当該加入者との双方向性を生成する必要がある。
【０００５】
一般的に、全てのデジタルメディア・サービスは全ての加入者に受信される。より詳しくは、放送局によりネットワーク１を介して放送される全ての情報は、全ての加入者によって受信され得るといえる。
【０００６】
加入者のアクセス権の属性によって、マルチメディア・サービスの利用を制限することが知られている。これにより、加入者は、所有するアクセス権に対応するマルチメディア・サービスのみを利用し得る。マルチメディア・サービスの利用制限の高度なものは、コントロール・ワードを使用してサービスにスクランブルをかけることによって達成される。この場合、かかるコントロール・ワードを所有する加入者のみが、スクランブルを解除し、当該サービスを利用できる。
【０００７】
アクセス権の情報は、ネットワーク１を介して加入者４〜６に放送され得る。一般に、コントロール・ワードは、ＥＣＭ（Entitlement Control Message：共通情報）を使用する全ての加入者に対して放送される。しかし、もし加入者が、定期的にネットワークを介して放送されるＥＭＭ（Entitlement Management Message：個別情報）内の利用キーを入手した場合には、コントロール・ワードは、ＥＣＭから抽出され得る。
【発明の開示】
【発明が解決しようとする課題】
【０００８】
国際公開公報ＷＯ０１／１７２４９Ａ１（DEUTSCHE TELECOM AG）は、「有料サービスのための条件付きアクセスシステムにおいてセキュリティモジュールを使用する特定の許可を顧客に公開する方法」を扱っている。ＷＯ０１／１７２４９Ａ１には、ＥＭＭを送信することについて記載している。第１の可能性は、ＥＭＭを送出するために、ＰＳＴＮ（Public Switched Telephone Network）、ＧＳＭ網といった携帯電話網又はベンダの制御装置へＥＭＭを送出するための他の放送を使用することを提供する。利用中、ベンダは、認可を起動させるために加入者の装置へＥＭＭを送出する制御装置を使用する。前記第１の可能性は、間接的であるといえる。なぜなら、プロバイダと加入者との間に媒介の介在を必要とするからである。第２の可能性は、前記加入者の装置に放送によってＥＭＭを直接送信することを提供する。加入者装置の局地化は、加入者のＧＳＭ装置に関する局地化データの開発により達成され得る。ＧＳＭ網のプロバイダは、この装置のスイッチが入れられる場合に加入者のＧＳＭ装置の地理的な局地化を確定する可能性を有する。また、前記第２の可能性は実施形態にも言及している。加入者は、最初に自己のＧＳＭ電話を使ってＥＭＭプロバイダに電話し、その後、放送によってＥＭＭを獲得する。
【０００９】
ＷＯ０１／１７２４９Ａ１には、さらに加入者にＥＭＭを送信するためにＧＳＭ電話網を使用する可能性について記載されている。しかしながら、ＷＯ０１／１７２４９Ａ１は、この目的のためにＧＳＭ電話網を使用しないよう忠告している。
【００１０】
「限定受信システムの機能論的モデル」（ＥＢＵ技術審査、１９９５年冬季）の段落７．２．１には、加入者のデコーダとＰＳＴＮ又はケーブル網の何れかを使用するＳＭＳ（Subscriber Management System）との間でリターンパスの確立が可能であること、及びこのリターンパスはＥＭＭを送信するために使われることが記載されている。リターンパスを使う１つの理由は、ＥＭＭの放送によって消費される放送周波数帯域幅を低減させることである。
【課題を解決するための手段】
【００１１】
本発明の第１の特徴は、メッセージ管理サービスからのメッセージをデジタル・マルチメディア網の加入者のレシーバ・デコーダへ分配する方法を提供することである。スクランブルをかけたデジタルサービスをＥＣＭ（Entitlement Control Message）と共に放送する前記デジタル・マルチメディア網と異なる携帯電話網であるポイント・ツー・ポイント通信システム（６０１，６００；７００）の、前記レシーバ・デコーダ用のポイント・ツー・ポイント通信アドレスを取り出し、ＥＭＭ（Entitlement management Message）で構成されたレシーバ・デコーダ用のメッセージを前記メッセージ管理サービスから前記ポイント・ツー・ポイント通信システムへ転送する。前記ポイント・ツー・ポイント通信システム内に前記メッセージをバッファリングする。レシーバ・デコーダでポイント・ツー・ポイント通信システムから対象となるメッセージを検索して取り出す。
【００１２】
好ましくは、前記メッセージは、前記ポイント・ツー・ポイント通信システム(メッセージ管理サービスに対応する)内のエミッタ・ポイントでバッファリングされる。使用可能信号は、前記レシーバで生成される。前記使用可能信号の受信でメッセージの送出が誘発され、該メッセージは、前記レシーバへ送出される。
【００１３】
本発明の第２の特徴は、スクランブルをかけたデジタルサービスをＥＣＭ（Entitlement Control Message）と共に放送するデジタル・マルチメディア網内で、該デジタル・マルチメディア網と異なるネットワークである携帯電話網を通じて情報の受信を可能にしている加入者のレシーバ・デコーダでＥＭＭ（Entitlement management Message）を受信する方法を提供することである。前記レシーバ・デコーダの携帯電話モデムで、前記携帯電話網内にバッファリングされたＥＭＭのうちの対象となるＥＭＭを該携帯電話網から検索して受信する。受信したＥＭＭを携帯電話モデムの記憶装置内に記憶する。
【００１４】
本発明の第３の特徴は、レシーバ・デコーダに作用的に接続された携帯電話モデムと、該携帯電話モデムに固有に属するポイント・ツー・ポイント通信アドレスとを備えるデジタル・マルチメディア網用のレシーバ・デコーダを提供することである。携帯電話網であるポイント・ツー・ポイント通信システム内にバッファリングされたＥＭＭ（Entitlement management Message）のうちの対象となるＥＭＭを該ポイント・ツー・ポイント通信システムから検索して受信する手段、前記携帯電話モデムからレシーバ・デコーダによって取り出されるＥＭＭを記憶する携帯電話モデム内の記憶空間を備えている。
【発明を実施するための最良の形態】
【００１５】
以下、本発明に係る実施形態について、図面を参照しながら詳細に説明する。
【００１６】
［システムの概観（概要）］
同一参照は、本明細書全体にわたって図の中の同一要素を参照するために使用される。図２は、デジタルテレビシステムを概略的に示した図である。放送局の側において、信号圧縮システム１００は、デジタル信号ストリーム（図示せず）を圧縮し、圧縮したストリームをマルチプレクサ１０１に出力する。圧縮の一例としては、ＭＰＥＧ−２規格がよく知られ、デジタルテレビサービスの分野で普及している。マルチプレクサ１０１は、レシーバ・デコーダ１０２を所有する加入者に送信する圧縮信号のトランスポート・ストリームを生成する。トランスポート・ストリームは、アンテナ１０５を使って人工衛星１０４に送出され、その後、レシーバ・デコーダ１０２の入力に接続している受信アンテナ１０５で受信される。
【００１７】
図２は、衛星伝送システムを示しているが、放送局の側から加入者へトランスポート・ストリームを送信する他の方法も使用され得る。レシーバ・デコーダ１０２は、データを復元するために受信したトランスポート・ストリーム（例えば、オーディオ／ビジュアルサービスあるいはアプリケーション）を処理し、結果となるビデオ及びオーディオ信号を表現装置（例えば、テレビ１０６等）に出力する。本実施形態に係るレシーバ・デコーダ１０２は、圧縮されたＭＰＥＧ−２をテレビ信号にデコードし、テレビ１０６に出力し得る。分離したレシーバ・デコーダ１０２が示されているが、レシーバ・デコーダは、デジタルテレビと一体不可分であってもよい。マルチチャネルシステムでは、マルチプレクサ１０１は、複数のソースによって同時に提供されるオーディオ及びビデオ情報を処理してもよい。オーディオ及びビデオ情報に加えて、その他の種類の情報、例えば、オーディオ及ビデオ情報が組み合わされたメッセージ又はアプリケーションも、１又は複数のチャネルで導入され得る。
【００１８】
図３は、図２よりもセキュリティ装置を増加させたデジタルテレビシステムを示す図である。理解し易くするため、図３において、図２の放送送信の特徴を点線矢印２００で置き換えている。限定受信システム２０１は、マルチプレクサ１０１に接続している。限定受信の追加構成部２０２は、レシーバ・デコーダ１０２に接続している。限定受信システム２０１及び限定受信の追加構成部２０２は、１又は複数の放送供給によるデジタルテレビサービス放送のレシーバ・デコーダ１０２内での安全なアクセスを可能にしている。限定受信の追加構成部２０２は、レシーバ・デコーダ１０２の適切な位置に挿入されるドーター・スマートカード２０３によって完全化する。
【００１９】
ドーター・スマートカード２０３は、有用な商用提示と関係するスクランブルをかけられたメッセージを解読するのに必要な情報を伝える。前記情報は、予約権、受信したＥＭＭから抽出された１又は複数の利用鍵及びＥＣＭから抽出された１又は複数のコントロール・ワードを含んでいる。ドーター・スマートカード２０３を使用すると、予約又はペイ・パー・ビュー方式経由で商用提示を購入することが可能となる。デジタルデータ・ストリームに含まれるデジタルサ−ビスは、限定受信システム２０１の制御の下、マルチプレクサ１０１のあるレベルでスクランブルをかけられる。
【００２０】
典型的には、スクランブルは、コントロール・ワードを使用することで完了する。該コントロール・ワードは、最終的な解読用のスクランブルされたデジタルサービスと共に送信される。コントロール・ワードは、送信のため、それ自体暗号化されている。暗号化は、利用鍵を使って成される。
【００２１】
限定受信システム２０１は、１又は複数のＳＭＳ（Subscriber Management System）２０５に接続するＳＡＳ（Subscriber Authorization System）２０４を含む。ＳＭＳ２０５及びＳＡＳ２０４は、例えばＴＣＰ／ＩＰリンクを使用することで繋がれる。一般的には、放送局ごとに１つのＳＭＳ２０５が存在する。しかし、ＳＭＳ２０５が複数の放送局によって共有されることも起こり得る。限定受信システム２０１は、第１のマザー・スマートカード２０７を使用し、ＳＡＳ２０４に接続する第１の暗号化ユニット２０６をさらに含む。前記第１のマザー・スマートカード２０７は、データ暗号化に使用される秘密情報を記憶する。第２のマザー・スマートカード２０９を使用する第２の暗号化ユニット２０８は、マルチプレクサ１０１に接続している。
【００２２】
［ＳＭＳ］
ＳＭＳ２０５は、他の中で、加入者ファイル、商用提示データ、価格や特別提示、ペイ・パー・ビューの詳細、許可や消費データを管理するデータベースを含む。ＳＭＳ２０５は、ＳＡＳ２０４から離れた場所に設置される。ＳＭＳ２０５は、ＳＡＳ２０４へ例えばデジタルサービスを視聴するための加入者の許可に関する（あるいは、加入者によって獲得されたデジタルサービスの価格や支払いに関する）メッセージを、そのようなデジタルサービスを加入者が要求する時に送信する。他方、ＳＡＳ２０４は、ＳＭＳ２０５へ、例えば、加入者接触識別番号についての要求に関するメッセージを送信する。
【００２３】
［ＥＭＭ］
ＥＭＭは、個々又は加入者のグループ専用のメッセージである。これは、一般的に１又は複数の加入者専用というのではなく、スクランブルをかけられた１つ又は確定数のデジタルサービス専用となるＥＣＭとは、対照的であるといえる。ＥＭＭには、様々な特定タイプがある。以下、ＥＭＭタイプの４つの例、すなわち、個人、グループ、視聴者及びユニークなＥＭＭについて説明する。
【００２４】
個人ＥＭＭは、個人の加入者専用であり、一般的にペイ・パー・ビューサービスの設備で使用される。個人ＥＭＭは、グループ識別子及びそのグループ内の個人加入者の位置を含む。グループＥＭＭは、例えば、２５６の個人加入者のグループ専用となり、一般的に加入者サービス処理のために使用される。視聴者ＥＭＭは、個人の加入者達の全視聴に対して専用となる。前記視聴者には、同一の放送局の識別子を持つスマートカードを所有する全ての加入者が含まれる。ユニークＥＭＭは、スマートカードのユニークな識別子へのアドレス付け専用となる。
【００２５】
図４は、ＥＭＭのフォーマット例を示している。ＥＭＭは、一連のデジタルデータのビット列としてインプリメントされ、ヘッダ４００、ＥＭＭプロパー部４０１及び署名部４０２とで構成されている。ヘッダ４００は、順番に、そのメッセージをＥＭＭとして確認し、そのＥＭＭのタイプを示すタイプ識別子４０３、当該ＥＭＭの長さを示す長さ識別子４０４、ＥＭＭ用のオプションアドレス４０５、放送局識別子４０６及び鍵識別子４０７を含む。署名部４０２は、オプションであり、当該ＥＭＭのデータ・ビットの破損に対するチェック数を提供する。ＥＭＭプロパー部４０１は、加入者許可及び１又は複数の利用鍵に関するデータを含んでいる。
【００２６】
［ＳＡＳ］
再度図３を参照すると、ＳＡＳ２０４は、ＳＭＳ２０５からのメッセージを受信し処理する。ＳＡＳ２０５は、ＳＭＳ２０４によって生成されたメッセージの受信を認めるメッセージを生成し、これらの承認メッセージをＳＡＳ２０５へ送信する。ＳＭＳ２０５から受信したメッセージは、例えば、加入者が自己の受信料を払わなかった場合におけるその加入者の権利の停止、商用提示を追加又は除去するための加入者の権利の修正、あるいは、特定のペイ・パー・ビューデジタルサービスにアクセスするために要求される権利の追加に関する。ＳＡＳ２０４は、ＳＭＳ２０５によって以前に示された各加入者のためのステータスを保存するデータベースを管理する。かかるステータス及びＳＭＳ２０５から受信した他の情報によれば、ＳＡＳ２０４は、加入者のスマートカードの意図で１以上のＥＭＭを生成する。ＥＭＭは、第１の暗号化ユニット２０６を使用して暗号化される。
【００２７】
従来から知られているネットワークシステムにおいて、ＳＡＳ２０４は、加入者へ放送するためにマルチプレクサ１０１に周期的にＥＭＭを送信することで、加入者によってＥＭＭが受信されることを保証する。サイクル周波数は、ＥＭＭのタイプに依存し、典型的には３０秒から３０分間の値を持ち得る。
【００２８】
ＥＭＭは、一般に入射器として知られた装置（図３に図示せず）を通して、マルチプレクサ１０１に送信される。かかる入射器については、当該技術において周知であるのでその説明を省略する。
【００２９】
［ＥＣＭ］
再度図３を参照すると、マルチプレクサ１０１は、典型的には放送されるスクランブルをかけたデジタルサービスを利用するための周波数帯変換器を含む。該周波数帯変換器は、スクランブル化処理において使用されるコントロール・ワードを生成する。
【００３０】
また、デジタルサービスは、例えば、確定商用提示に対してデジタルサービスを関係付けたアクセス基準に従う必要がある。前記アクセス基準は、デジタルサービスが加入者にとって利用しやすくなるために確定商用提示に加入者の許可を適合させるべきである。コントロール・ワード及びアクセス基準の両方は、スクランブル・デジタルサービスと共に放送されるＥＣＭに挿入される。かかる挿入は、コントロール・ワード及びアクセス基準をＥＣＭが第２のマザー・スマートカード２０９で記憶され、マルチプレクサ１０１に送り返される利用鍵を使うことでスクランブルをかけられ、生成される第２の暗号化ユニット２０８に送信することによって行われる。
【００３１】
デジタルサービスは、コントロール・ワードを使用する周波数帯変換器によってスクランブルをかけられる。続いて、スクランブル・デジタル・サービス及びスクランブル化したＥＣＭが加入者に放送される。
【００３２】
［レシーバ・デコーダ］
図５を参照すると、概観は、機能ブロックとしてここで示されるレシーバ・デコーダ１０２の一実施形態での様々な要素が与えられる。また、レシーバ・デコーダ１０２は、時にはセットトップボックス（ＳＴＢ）と呼ばれる。レシーバ・デコーダ１０２は、対応するメモリ要素を含む中央処理装置５００を備える。中央処理装置５００は、シリアル・インタフェース５０１から入力データを受信するために適合する。
【００３３】
さらに、レシーバ・デコーダは、制御ユニット５０６を介して赤外線リモート・コントロール（リモコン）５０５からの入力を受信するべく適合している
ドーター・スマートカード２０３は、デマルチプレクサ／デスクランブラー５１０に対し、必要なコントロール・ワードを供給するため、スマートカード・リーダ５０７及び限定受信の追加構成部２０２と噛み合い、それ故、暗号化された放送信号の解読を可能にする。
【００３４】
レシーバ・デコーダ１０２は、デマルチプレクサ／デスクランブラー５１０によって処理する前に、放送信号を受信し、復調するための限定チューナ５１１及び復調器５１２を備える。
【００３５】
デマルチプレクサ／デスクランブラー５１０の出力時の解読信号は、オーディオ出力５１５で利用可能になる前にオーディオ・デコーダ５１３及びプリアンプ５１４によって適切に処理され、そして、グラフィック・プロセッサ５１７及びＰＡＬ／ＳＥＣＡＭエンコーダ５１８内のエンコーダに送信されてビデオ出力５１９で利用可能となる前にビデオ・デコーダ５１６によって適切に処理される。
【００３６】
［ＥＭＭの周期的送信］
既に説明したように、従来技術のシステムが提供するＥＭＭは、カルーセル・モードで加入者に不変的に放送される。これは、即ち、全ての放送手段に渡って周期的に送信されることになる。これは、レシーバ・デコーダにスイッチが入れられるとすぐに、そのレシーバ・デコーダの状態や地理的位置とは無関係に次回の販売期間の関連するＥＭＭを受け取ることができるといことを保証するために成される。周期的送信は、比較的大量の放送用周波数帯域幅を使用する。その上、レシーバ・デコーダがＥＭＭを受信したか、あるいは何時受信したかを知ることは不可能である。ＥＭＭ放送の繰り返し周期は、長期間スイッチオフされているレシーバ・デコーダによるＥＭＭの受信までに長い待ち時間が発生するのを避けるために合理的に短くする必要がある。
【００３７】
１以上のユーザに届くグループＥＭＭを使用することで放送用に要求される放送用周波数帯域幅を減らすことが知られている。よく知られているＤＶＤ放送標準において、典型的には、ＥＭＭは、特別のＩＤ番号を有するメッセージとして放送される。放送を受信する誰でもＥＭＭを受信することができるので、ＥＭＭ及び安全計画（セキュリティ・スキーム）に関する情報を集めるため、特別のＩＤ番号を有する受信メッセージを解析することは、潜在的に実現可能である。これは、場合によっては、放送システムの安全レベルを弱めるだろう。
【００３８】
［携帯電話ネットワーク上でのＥＭＭの送信］
本発明によれば、ＥＭＭは、放送網というよりむしろ携帯電話網を使用して加入者に送信される。携帯電話網は、ポイント・ツー・ポイント通信を可能にする。換言すれば、メッセージは、ある発信ポイントから単一の目的地点アドレスまで送信され得る。
【００３９】
図６を参照すると、携帯電話網６００上でＥＭＭが伝送されるシステムが示されている。図６におけるシステムは、図３で示されるシステムに基づき、レシーバ・デコーダ２０２は、図３及び図５で示されるレシーバ・デコーダに基づいている。より読みやすくするため、図３及び図５で示される要素の番号は、図６では表示しない。
【００４０】
ＳＡＳ２０４は、ＥＭＭ入射器を通してＥＭＭをマルチプレクサ１０１に送信するというよりむしろ携帯電話データベース６０１にＥＭＭを送信する。各々のＥＭＭは、少なくとも１台のレシーバ・デコーダを対象とする。レシーバ・デコーダは、携帯電話網内のアドレス、換言すれば、携帯電話データベース６０１内で保存される目的地点アドレスに適応する。従って、携帯電話データベースは、ＳＡＳからＥＭＭを受信する時、レシーバ・デコーダのためのアドレスを検索することを可能にする。前記アドレスは、レシーバ・デコーダに前記ＥＭＭを送信するために使用される。
【００４１】
ＥＭＭ及びレシーバ・デコーダの対応アドレスは、その後、携帯電話網６００へ、換言すれば、携帯電話網の発信ポイントへ転送される。ネットワーク管理システム及び局部電池トランスミッタ（図示せず）は、ＥＭＭをレシーバ・デコーダ２０２と接続している、あるいは一体となっている携帯電話受信モデム６０２に送信し、ＥＭＭと一緒に対応するアドレスを受信させる。ＥＭＭは、レシーバ・デコーダによって検索されるまで、携帯電話網又は携帯電話受信モデム内にバッファリングされたままとなる。より詳細には、携帯電話受信モデム６０２が、メッセージを受信できないならば、ＥＭＭは、携帯電話網６００のレベルで記憶されたままとなり得る。
【００４２】
携帯電話受信モデム６０２は、一旦使用可能となると、言い換えれば、携帯電話受信モデム６０２が、使用可能であることを示す信号を生成すると、ＥＭＭを送信する。ＥＭＭは、レシーバ・デコーダによって検索されるまで、携帯電話受信モデム６０２に保存されたままとなる。これは、レシーバ・デコーダのスイッチが切られるか、他の理由のためにダウンした場合は特にそうなる。
【００４３】
任意で、レシーバ・デコーダ２０２は、ＳＩＭカード６０４を読み取るために適合させたＳＩＭカードリーダ６０３を含む。ＳＩＭカード６０４は、携帯電話網用のアクセス権を管理するために要求された情報を含む。かかるアクセス権は、携帯電話受信モデム６０２によって使用される。有利に、携帯電話網のためのアクセス権は、ＳＩＭカード６０４の代わりに図示しないドーター・スマートカードに含まれているかもしれない。特定のＥＭＭは、ＳＡＳ２０４から携帯電話データベース６０１及び携帯電話網６００へ一度だけ送られる。特定のＥＭＭは、携帯電話システムに残存し、モデム６０２が特定のＥＭＭを受信する準備ができている場合に当該モデム６０２に送信されるのみである。特定のＥＭＭがその時までに期限切れとなっている場合、以前にレシーバ・デコーダ２０２へ送信されたことがなければ、当該ＥＭＭは、削除及び／又は交換されるのが好ましい。
【００４４】
任意に、モデム６０２は、特定のＥＭＭの受信後、携帯電話網へ確認メッセージを返すことができる。確認メッセージには、特定のレシーバ・デコーダのデータ又はレシーバ・デコーダ２０２と共にした使用におけるドーター・スマートカードに関するデータのような追加データが含まれる。その追加データ内に含まれる情報の例は、以下のリストからの１又は複数の項目を使用することで得られる。レシーバ・デコーダの状態、ドーター・スマートカードの状態、ＩＤ番号、レシーバ・デコーダ内に含まれる要素のバージョン。
【００４５】
追加データを含む確認メッセージの送信は、放送会社が、レシーバ・デコーダのパラメータを確認し、法的地位を検出することを認める方法を提供する。換言すれば、レシーバ・デコーダ又はドーター・スマートカードの不正使用の可能性を検出する。特定のＥＭＭは、ＧＳＭ携帯電話網内のＳＭＳ（ショート・メッセージ・サービス、加入者管理システム（Subscriber Management System）と混同しないこと。）として一般によく知られた小さなメッセージが埋め込まれたモデム６０２に送信され得る。携帯電話受信モデムが、メッセージを受信する準備ができていない、又は、使用不可能である場合、ＳＭＳは、ＧＳＭ携帯電話網のＳＭＳサーバ内に保存されたままとなる。
【００４６】
発明の結果として、マルチプレクサに対してＥＭＭを入射するＳＡＳによって使用される、従来技術から知られているＥＭＭ入射器は省略され得る。任意に、ＧＳＭモデム６０２も、通話の送出あるいはデータ接続を確立することによって、携帯電話網６００上で通信するレシーバ・デコーダ２０２と一緒に使用され得る。この目的のため、レシーバ・アダプタ２０２は、マイクロフォンを含んでいるオーディオ入出力装置６０５を備える。各ＥＭＭは、放送網から区別されたネットワークを使用するそれに対応したレシーバ・デコーダに独自に送信されるということが、明白になってきた。
【００４７】
したがって、発明は、従来技術のような放送用周波数帯域幅を使用しない。ＥＭＭは、ネットワークの受容能力（キャパシティー）が従来の携帯電話サービスによって少なく使用されている時、携帯電話網上で適宜、送信され得る。携帯電話網においてよく知られているのは、携帯電話モデムへ送信される情報が、電話モデムの送信セルに対応する地理的な領域中へ送信されるのみであることである。有利に、レシーバ・デコーダ２０２は、ＥＭＭを受信するためにＣＡＳ２０１への接続を明白に始める必要はない。任意に、携帯電話モデム６０２は、受信において要求されるならば、ＥＭＭだけでなく、他のタイプの情報あるいは入ってくる携帯電話サービスを常時残すように構成してもよい。
【００４８】
本発明に係るシステムは、特定のＥＭＭが１つのレシーバ・デコーダのみに送信されることにおける安全性を向上させる。既に述べた従来技術の場合のように、１以上のＥＭＭを受信及び盗聴することがより困難になる。任意の確認メッセージは、システム、レシーバ・デコーダによるＥＭＭの使用が確認され得ることにおいて、システム内の安全性を向上させる。
【００４９】
携帯電話モデム６０２は、ＧＳＭモデムとして説明されている。携帯電話網の標準（例えば、ＧＳＭ、ＧＰＲＳ、ＵＭＴＳ等）に依存するその他のタイプのモデムを有することは、もちろん可能である。
【００５０】
図７は、本発明の一実施形態を示すフローチャートである。ステップ７００では、レシーバ・デコーダＤ１を対象としたＥＭＭＤ１（Entitlement Management Message）が、ＳＡＳから携帯電話網（ＭＰＮ）へ転送される。次のステップ７０１では、レシーバ・デコーダのための携帯電話レシーバ（Ｄ１−レシーバ）のアドレスが確定される。判定ステップ７０２では、ＭＰＭは、Ｄ１−レシーバがＥＭＭＤ１を受信する準備ができているかどうかをチェックする。
【００５１】
Ｄ１−レシーバが準備出来ていない場合は、ＥＭＭＤ１はＭＰＮのエミッタ・ポイントでバッファリングされる（ステップ７０３）。その後の判定ステップ７０４では、ＥＭＭＤ１がまだ有効であるか否か（例えば、ＥＭＭＤ１の有効期限が切れているかどうか）がチェックされる。ＥＭＭＤ１が有効でない場合、新しいＥＭＭＤ１が獲得され（ステップ７０５）、再度ステップ７００が実行される。ＥＭＭＤ１が有効である場合、判定ステップ７０２が再度実行される。
【００５２】
ステップ７０２で、Ｄ１−レシーバの準備ができている場合、ＥＭＭＤ１は、ＭＰＮ上でＤ１−レシーバに送信され（ステップ７０６）、そして、Ｄ１−レシーバでバッファリングされる（ステップ７０７）。判定ステップ７０８では、レシーバ・デコーダＤ１が、Ｄ１−レシーバからＥＭＭＤ１を検索する準備ができているかどうかがチェックされる。準備ができていない場合、ＥＭＭＤ１はＤ１−レシーバのバッファ内に残る。準備ができている場合、ＥＭＭＤ１は、Ｄ１レシーバ・デコーダによって、Ｄ１−レシーバから検索される（ステップ７０９）。
【００５３】
その後、ＥＭＭＤ１に対する受信確認が、（例えば、ＭＰＮを使って）送出ポイントに返信される（ステップ７１０）。
【００５４】
以上、添付図面を参照しつつ、本発明の好適な実施形態を説明したが、本発明が、これらの正確な実施形態に制限されないこと、及び様々な変更及び修正が、添付した特許請求の範囲で定義した本発明の思想又は範囲を逸脱することなく当業者によって達成され得ることは理解されるであろう。
【図面の簡単な説明】
【００５５】
【図１】図１は、デジタル・マルチメディア網を概略的に示す図である。
【図２】図２は、デジタル・マルチメディア網のための放送及びレシーバシステムを示す図である。
【図３】図３は、放送レシーバシステムへ適用された限定受信システムを概略的に示す図である。
【図４】図４は、ＥＭＭの一例を示す図である。
【図５】図５は、レシーバ・デコーダの一例を示すブロック図である。
【図６】図６は、本発明の一実施形態を概略的に示す図である。
【図７】図７は、本発明の一実施形態を示すフローチャートである。
【図１】
0004611748.tif 000002
【図２】
0004611748.tif 000003
【図３】
0004611748.tif 000004
【図４】
0004611748.tif 000005
【図５】
0004611748.tif 000006
【図６】
0004611748.tif 000007
【図７】
0004611748.tif 000008